(57)【要約】【課題】燃料電池システムを発電するために貯湯タンクの湯を排水する場合、使用する水道料金、電気料金、ガス料金を考慮して、排水を行うかどうかを判断する燃料電池システムを提供することを目的とする。【解決手段】前記貯湯タンク１０３の湯を排水する排水手段０１２と、燃料電池システムの利用者が使用する水道料金、電気料金、ガス料金に基づいて、前記排水手段０１２にて湯の排水を制御する制御手段０１３と、前記貯湯タンク１０３から湯を排水し燃料電池システムを発電する際の、使用する水道料金、電気料金、ガス料金の総和が、前記貯湯タンクから湯を排水せずに燃料電池システムを停止する際の、使用する水道料金、電気料金、ガス料金の総和より安くなる場合にのみ、排水を行う燃料電池システム。【選択図】図１
2015122139.tif 000002
【特許請求の範囲】
【請求項１】
燃料ガスが供給されて発電を行い、電力および熱を供給する燃料電池ユニットと、
前記燃料電池ユニットから供給された熱を湯として蓄える貯湯タンクを備えた貯湯ユニットと、
前記貯湯タンクの湯を排水する排水手段と、
燃料電池システムが供給する電力負荷および給湯使用の予測に基づいて算出するシステム利用者の使用する水道料金、電気料金、ガス料金を基に、前記排水手段にて排水を制御する制御手段と、を備える燃料電池システム。
【請求項２】
前記制御手段は、
排水を行った際の、使用する水道料金、電気料金、ガス料金の総和が、排水を行わなかった際より安くなる場合には、排水を行う請求項１に記載の燃料電池システム。
【請求項３】
前記制御手段は、
排水を行った際の、使用する水道料金、電気料金、ガス料金の総和から前記燃料電池ユニットで発電した電力を売却して得られる金額を差し引いた値が、排水を行わなかった際より安くなる場合には、排水を行う請求項１記載の燃料電池システム。
【請求項４】
前記制御手段は、
排水を行った際の、使用する水道料金、電気料金、ガス料金の総和から前記燃料電池ユニットが発電した電力を使用することで得られる補助金を差し引いた金額が、排水を行わなかった際より安くなる場合には、排水を行う請求項１記載の燃料電池システム。
【請求項５】
前記制御手段は、
排水を行った際の、使用する水道料金、電気料金、ガス料金の総和に排水に伴い無駄になる前記貯湯タンクの熱量の損失金額を足した金額が、排水を行わなかった際より安くなる場合には、排水を行う請求項１記載の燃料電池システム。
【請求項６】
前記燃料電池システムは、さらに、
前記燃料電池ユニットの発電電力を蓄える蓄電ユニットを備え、
前記制御手段は、さらに、
排水を行った際の、使用する水道料金、電気料金、ガス料金の総和から前記蓄電ユニットへの蓄電によって得られる電気料金の削減額を差し引いた金額が、排水を行わなかった際より安くなる場合には、排水を行う請求項１記載の燃料電池システム。
【請求項７】
前記制御手段は、
前記排水手段が排水する量を算出して、その量を分割して排水するよう制御する請求項１〜６記載の燃料電池システム。
【請求項８】
前記制御手段は、
前記燃料電池ユニットの停止中に、発電を再開するよう制御するとともに、前記排水手段にて排水するよう制御する請求項１〜７記載の燃料電池システム。
【発明の詳細な説明】
【技術分野】
【０００１】
本発明は、電力および熱を供給する燃料電池ユニットと、燃料電池ユニットから供給された熱を湯として蓄える貯湯タンクを備える貯湯ユニットを備える燃料電池システムに関するものである。
【背景技術】
【０００２】
従来から、燃料電池セルと前記燃料電池セルからの排ガスと水の熱交換をするための熱交換器とを備え、電力および熱を供給する燃料電池ユニットと、燃料電池ユニットから供給された熱を湯として蓄える貯湯タンクを備える貯湯ユニットから構成される燃料電池システムが存在した。しかし、貯湯タンクの水の温度が所定温度より高くなると、燃料電池セルからの排ガスと貯湯タンクの水とで熱交換ができず、燃料電池システムは発電することができないといった問題点がある。この問題を解決するため、この種の燃料電池システムでは、例えば図１２や図１３に示す構成が開示されている（例えば、特許文献１および２参照）。
【０００３】
以下に、特許文献１に示されている図１２の燃料電池システムについて説明する。
【０００４】
図１２に示す燃料電池システムは、燃料電池セル１と前記燃料電池セル１からの排ガスと水とで熱交換するための熱交換器５とを備える燃料電池装置（発電ユニット）と、熱交換後の水を貯水するための貯湯タンク１７と、前記熱交換器５と前記貯湯タンク１７との間で水を循環させるための循環配管１６と、前記貯湯タンク１７に貯水された水を排水するための排水装置と、前記熱交換器５と前記貯湯タンク１７との間で循環される水の温度を測定するための温度センサ１９と、前記貯湯タンク１７の水を蓄水するための蓄水装置２５と、前記温度センサにより測定される水の温度が所定時間継続して第１の所定温度以上で測定された場合に、前記貯湯タンク１７に貯水された水を前記蓄水装置２５に供給するように前記排水装置の動作を制御する制御装置１３と、を備えることを特徴とする燃料電池システムである。このような燃料電池システムにおいては、前記温度センサ１９により測定される水の温度が所定時間継続して第１の所定温度以上で測定された場合に、前記蓄水装置２５に自動的に供給するように排水装置の動作を制御することにより、熱交換により生成されたお湯を効率よく利用することができ、運転効率（総合効率）の向上した燃料電池システムとすることができる。
【０００５】
また、前記排水装置は、前記貯湯タンク１７の水を外部に排水するための弁２２を備える外部排水管２１と、前記貯湯タンク１７の水を前記蓄水装置に供給するための弁２４を備える蓄水装置供給管２３とを備えてなることを特徴とする。このような燃料電池システムにおいては、貯湯タンク１７の水を外部に排水するための弁２２を備える外部排水管２１と、貯湯タンクの水を蓄水装置に供給するための弁２４を備える蓄水装置供給管２３とを備えることから、貯湯タンクの水を外部に排水するか、前記蓄水装置２５に供給するかを容易に制御することができる。
【０００６】
次に、特許文献２に示されている図１３の燃料電池システムについて説明する。
図１３に示す燃料電池システムは、貯湯タンク３１と、前記貯湯タンク３１内下部の湯水の温度を検出するタンク下部湯水温度検出手段４３と、一端が前記貯湯タンク内下部に連通し他端が前記貯湯タンク内上部に連通し途中に燃料電池の発電時の排熱を回収する熱回収用熱交換器４０を有する熱回収配管３２と、前記貯湯タンク３１内上部の湯水を給湯する給湯配管３６と、前記貯湯タンク内３１下部に連通して前記貯湯タンク３１内の湯水を所定量に保つように給水する給水配管３５と、前記貯湯タンク３１内の湯水を前記貯湯タ
ンク３１内下部から導入して前記貯湯タンク内３１上部に戻す方向に前記熱回収配管３２内の湯水を循環させる貯湯タンク循環ポンプ３３と、報知手段を有するリモコン４２とを備え、前記タンク下部湯水温度検出手段４３の温度がシステム停止させる必要があるシステム停止温度より低い所定温度を超えた場合に前記報知手段が利用者に所定時間内に前記給湯配管３６からの給湯動作を行うことを促すように構成されている。このような燃料電池システムにおいては、前記貯湯タンク３１内の湯水の使用（給湯）が少なく、前記貯湯タンク３１内の下部の湯水の温度が上昇し、そのため、燃料電池の放熱効率が悪くなり、このまま、前記貯湯タンク３１内の湯水の使用（給湯）がなければ、まもなく前記貯湯タンク３１内の下部の湯水の温度が上昇してシステム停止させる必要があるシステム停止温度に達してシステムが停止するような場合に、報知手段が利用者に、所定時間内に前記給湯配管３６からの給湯動作を行うことを促すので、所定時間内に利用者が、前記給湯配管３６から給湯動作を行う可能性が高くなり、所定時間内に利用者が前記給湯配管３６から給湯動作を行えば、前記貯湯タンク３１内の湯水が減った分だけ、前記貯湯タンク３１内下部に給水が行われて、前記貯湯タンク３１内の下部の湯水の温度が低下するので、発電の停止を回避できる。
【先行技術文献】
【特許文献】
【０００７】
【特許文献１】特開２０１１―４９０２０号公報
【特許文献２】特開２０１１―１７４６２６号公報
【発明の概要】
【発明が解決しようとする課題】
【０００８】
しかしながら、前記図１２に示す従来の構成では、前記温度センサ１９により測定される水の温度が所定時間継続して第１の所定温度以上で測定され、かつ前記蓄水装置２５の水位が高く、前記貯湯タンク１７の水を前記蓄水装置２５に供給することが出来ない場合、貯湯タンク１７の湯は外部へ排水されることになる。この場合、貯湯タンク１７の湯の排水に伴い無駄になる水道料金や、発電の継続に伴い増加するガス料金等、経済性への影響が考慮されずに、貯湯タンク１７の湯が排水されるため、場合によっては燃料電池システムの利用者が経済的に損するという課題を有している。更に、外部に排水する貯湯タンク１７の水を減らすため燃料電池コージェネレーションシステムに前記蓄水装置２５を備えること自体も、設置面積あるいは設置容積の増加の原因となるため、市場での設置機会の低下に繋がるという課題も有している。
【０００９】
また、前記図１３に示す従来の構成では、利用者が給湯動作を行わず、貯湯タンク３１の温度が前記システム停止温度を超える場合、燃料電池システムは停止し、発電不可状態となる。発電不可状態では、不足する電力を系統電源から購入する必要があるため、燃料電池システムの利用による経済的メリットが得られないという課題を有している。
【００１０】
本発明は、前記従来の課題を解決するもので、経済性への影響に基づいて貯湯タンクの湯の排水を制御する制御手段を備える燃料電池システムを提供することを目的とする。
【課題を解決するための手段】
【００１１】
前記従来の課題を解決するために、本発明の燃料電池システムは、燃料ガスが供給されて発電を行い、電力および熱を供給する燃料電池ユニットと、前記燃料電池ユニットから供給された熱を湯として蓄える貯湯タンクを備えた貯湯ユニットと、前記貯湯タンクの湯を排水する排水手段と、使用する水道料金、電気料金、ガス料金に基づいて前記排水手段により排水を制御する制御手段とを備える。
【００１２】
これによって、前記貯湯タンクから前記燃料電池ユニットへ供給される水の温度が高く
、燃料電池システムが発電不可状態になることを回避するために、前記貯湯タンクから湯を排水する必要がある場合は、前記貯湯タンクから湯を排水する際の、使用する水道料金、電気料金、ガス料金の総和が、前記貯湯タンクから湯を排水せずに燃料電池システムを発電停止させる際の、使用する水道料金、電気料金、ガス料金の総和より安くなる場合にのみ、排水を行うことができる。
【発明の効果】
【００１３】
本発明の燃料電池システムは、貯湯タンクの温度が上がり貯湯タンクの排水を行わなければ燃料電池システムが発電不可状態となる場合に、燃料電池システムの利用者の使用する水道料金、電気料金、ガス料金の総和が安くなるように貯湯タンクを排水し発電する、または排水せずシステムを停止することで、システム利用者の使用する水道料金、電気料金、ガス料金の経済的負担を低減することができる。また、これにより、貯湯タンクの排水による経済的損失を低減できるため、蓄水装置を備える必要が無く、市場での設置機会の増加に繋がる。
【図面の簡単な説明】
【００１４】
【図１】本発明の実施の形態１における燃料電池システムのブロック図
【図２】本発明の実施の形態１における燃料電池システムの処理動作１−１を示すフロー図
【図３】本発明の実施の形態１における燃料電池システムの処理動作１−２を示すフロー図
【図４】本発明の実施の形態１における燃料電池システムの処理動作を示すフロー図
【図５】本発明の実施の形態１における燃料電池システムの処理動作を示すフロー図
【図６】本発明の実施の形態１における燃料電池システムの処理動作を示すフロー図
【図７】本発明の実施の形態１における燃料電池システムの処理動作を示すフロー図
【図８】本発明の実施の形態１における燃料電池システムの処理動作を示すフロー図
【図９】本発明の実施の形態２における燃料電池システムの処理動作２−１を示すフロー図
【図１０】本発明の実施の形態２における燃料電池システムの処理動作２−２を示すフロー図
【図１１】本発明の実施の形態２における燃料電池システムの処理動作を示すフロー図
【図１２】特許文献１の燃料電池システムのブロック図
【図１３】特許文献２の燃料電池システムのブロック図
【発明を実施するための形態】
【００１５】
第１の発明は、本発明の燃料電池システムは、燃料ガスが供給されて発電を行い、電力および熱を供給する燃料電池ユニットと、前記燃料電池ユニットから供給された熱を湯として蓄える貯湯タンクを備えた貯湯ユニットと、前記貯湯タンクの湯を排水する排水手段と、燃料電池システムが供給する電力負荷およびシステム利用者の給湯使用の予測を基に算出するシステム利用者の使用する水道料金、電気料金、ガス料金の予測に基づいて、前記排水手段にて排水を制御する制御手段と、を備える。これにより、システム利用者の使用する水道料金、電気料金、ガス料金に予測に基づいて、貯湯タンクを排水し発電するか、排水せずシステムを停止するかの一方を選択する制御手段を持った燃料電池システムを得るため、システム利用者の経済的負担を低減することができる。また、これにより、貯湯タンクの排水による経済的損失を低減できるため、蓄水装置を備える必要が無く、市場での設置機会の増加に有用である。
【００１６】
第２の発明は、特に、第１の発明において、前記制御手段は、排水を行った際の、使用する水道料金、電気料金、ガス料金の総和が、排水を行わなかった際より安くなる場合に
排水を行う。これにより、システム利用者の使用する水道料金、電気料金、ガス料金の総和が安くなるように貯湯タンクの排水を制御する制御手段を持った燃料電池システムを得るため、システム利用者の経済的負担を低減することができる。
【００１７】
第３の発明は、特に、第１の発明において、前記制御手段は、排水を行った際の、使用する水道料金、電気料金、ガス料金の総和から前記燃料電池ユニットで発電した電力を売却して得られる金額を差し引いた値が、排水を行わなかった際より安くなる場合に、排水を行う。これにより、使用する水道料金、売却した電気料金を考慮した電気料金、およびガス料金の総和が安くなるように貯湯タンクの排水を制御する制御手段を持った燃料電池システムを得るため、前記燃料電池ユニットで発電した電力を売却できる地域における、システム利用者の経済的負担の低減に有用である。
【００１８】
第４の発明は、特に、第１の発明において、前記制御手段は、排水を行った際の、使用する水道料金、電気料金、ガス料金の総和から前記燃料電池ユニットが発電した電力を使用することで得られる補助金を差し引いた金額が、排水を行わなかった際より安くなる場合には、排水を行う。これにより、使用する水道料金、発電電力の使用による補助金を考慮した電気料金、およびガス料金の総和が安くなるように貯湯タンクの排水を制御する制御手段を持った燃料電池システムを得るため、前記燃料電池ユニットで発電した電力を使用することで補助金が得られる地域における、システム利用者の経済的負担の低減に有用である。
【００１９】
第５の発明は、特に、第１の発明において、前記制御手段は、排水を行った際の、使用する水道料金、電気料金、ガス料金の総和に排水に伴い無駄になる前記貯湯タンクの熱量の損失金額を足した金額が、排水を行わなかった際より安くなる場合には、排水を行う。これにより、使用する水道料金、電気料金、および前記貯湯タンクの排水に伴い無駄になる熱量に使用した排ガスのガス料金を考慮したガス料金の総和が安くなるように貯湯タンクの排水を制御する制御手段を持った燃料電池システムを得るため、システム利用者の経済的負担の低減および、経済的負担算出時の精度の向上に有用である。
【００２０】
第６の発明は、特に、第１の発明において、前記燃料電池システムは、さらに、前記燃料電池ユニットの発電電力を蓄える蓄電ユニットを備え、前記制御手段は、さらに、排水を行った際の、使用する水道料金、電気料金、ガス料金の総和から前記蓄電ユニットへの蓄電によって得られる電気料金の削減額を差し引いた金額が、排水を行わなかった際より安くなる場合には、排水を行う。これにより、使用する水道料金、前記蓄電電力の使用を考慮した電気料金、およびガス料金の総和が安くなるように貯湯タンクの排水を制御する制御手段を持った燃料電池システムを得るため、前記燃料電池システムに前記蓄電ユニットを備えた場合における、システム利用者の経済的負担の低減に有用である。
【００２１】
第７の発明は、特に、第１〜第６のいずれか１つの発明において、前記制御手段は、前記排水手段が排水する量を算出して、その量を分割して排水するよう制御する。これにより、前記制御手段が算出した排水する量の予測が、予測できない水道、電気、ガスの使用によりずれた場合にも、その量を分割して排水することで、予測のずれによる排水の無駄を低減することができるため、システム利用者の経済的負担の低減に有用である。なお、この実施の形態によって本発明が限定されるものではない。
【００２２】
第８の発明は、特に、第１〜第７のいずれか１つの発明において、前記制御手段は、前記燃料電池ユニットの停止中に、発電を再開するよう制御するとともに、前記排水手段にて排水するよう制御する。これにより、燃料電池システムの停止時においても、使用する水道料金、電気料金、ガス料金の総和が安くなるように貯湯タンクの排水を制御する制御手段を持った燃料電池システムを得ることができるため、システム利用者の経済的負担の
低減および、燃料電池システムの発電不可状態の回避をすることができる。なお、この実施の形態によって本発明が限定されるものではない。
【００２３】
（実施の形態１）
以下に、本発明の実施の形態１における燃料電池システムについて、詳細に説明する。
【００２４】
図１は、本発明の実施の形態１における燃料電池システムのブロック図である。
【００２５】
図１には、燃料電池ユニット０１０と、貯湯ユニット０１１と、排水手段０１２と、制御手段０１３と、を図示している。
【００２６】
燃料電池ユニット０１０は、燃料ガスを供給されて発電を行う燃料電池セル１００と、前記燃料電池セル１００からの排ガスと水の熱交換をするための熱交換器１０１と、前記熱交換器１０１を有する熱回収配管１０６に貯湯タンク１０３の水を循環させる貯湯循環ポンプ１０２を備え、図示しない電力負荷へ電力を供給し、また前記熱交換器１０１を用いて前記貯湯タンク１０３の水に熱を供給する。
【００２７】
貯湯ユニット０１１は、前記熱交換器１０１を介して前記燃料電池ユニット０１０から供給される熱を湯として蓄える貯湯タンク１０３と、前記貯湯タンク１０３の湯の温度を検出する温度検出部１０４と、給湯配管１０８から前記貯湯タンク１０３の給湯動作を行う給湯手段１０５と、給水配管１０９から前記貯湯タンク１０３の給水動作を行う給水手段１０６を備え、前記貯湯タンク１０３の湯を所定量に保つ。
【００２８】
排水手段０１２は、前記貯湯タンク１０３の湯を外部へ捨てるために設けられた排水配管１０７から、前記貯湯タンク１０３の湯を排水する手段である。
【００２９】
制御手段０１３は、燃料電池システムの利用者が使用する水道料金、電気料金、ガス料金に基づいて、前記排水手段０１２にて湯の排水を制御する手段である。
以下に、本実施の形態１の燃料電池システムの排水を制御する前記制御手段０１３の処理動作１−１について、図１、図２を用いて説明する。
【００３０】
図２は、本発明の実施の形態１における燃料電池システムの排水を制御する制御手段０１３の処理動作１−１を示すフロー図である。
【００３１】
はじめに、本実施の形態１の燃料電池システムの排水を制御する前記制御手段０１３の処理動作において、前記制御手段０１３が前記温度検出部１０４の温度が所定温度に下がるまで排水手段０１２に排水を要求する場合について図１、図２を用いて説明する。
【００３２】
前記貯湯タンク１０３の湯の温度を検出する前記温度検出部１０４において、貯湯タンク１０３の湯の温度が、システム停止させる必要があるシステム停止温度より低い第１の所定温度を超えた場合（図２ステップＳ２０の分岐Ｙ）は、図１に示す前記制御手段０１３は、燃料電池システムが供給する電力負荷および給湯使用の予測に基づいて、前記温度検出部１０４の温度が、前記第１の所定温度より低くシステム動作の継続可能な第２の所定温度まで下がるよう前記貯湯タンク１０３の排水を行うことで発電継続した場合と、排水を行わずシステム停止した場合において、それぞれの場合における水道料金、電気料金、ガス料金の総和を算出する（図２ステップＳ２１）。ここで、燃料電池システムが供給する電力負荷および給湯利用の予測には、例えば、現在の電力負荷および給湯使用が継続するという予測、或いは過去のデータに基づく予測を用いてもよい。
【００３３】
その後、算出結果に基づき、前記貯湯タンク１０３の排水を行い発電継続したほうが安
いと判断した場合（図２ステップＳ２２の分岐Ｙ）は、前記制御手段０１３は前記排水手段０１２に排水を要求する信号を送信し（図２ステップＳ２３）、そして、前記温度検出部１０４の温度が前記第２の所定温度まで下がった場合（図２ステップＳ２４の分岐Ｙ）は、前記制御手段０１３は前記排水手段０１２に送信していた排水を要求する信号を停止する（図２ステップＳ２５）。この方法は、発電中の燃料電池システムにおいて、システム利用者の使用する水道料金、電気料金、ガス料金の総和が安くなるように前記貯湯タンク１０３の排水を行い発電継続する、或いは排水せずにシステム停止する制御手段を持った燃料電池システムを得るため、システム利用者の経済的負担を低減することができる。また、この方法は、貯湯タンクの排水による経済的損失を低減できるため、蓄水装置を備える必要が無く、市場での設置機会の増加に有用である。ここで、図２ステップＳ２１において算出する、排水に伴い増加する水道料金について説明する。排水に伴い増加する水道料金は、前記温度検出部１０４の温度が前記第２の所定温度まで下がる際に排水する量から決まるが、その排水量は前記給水手段１０６から給水される水の温度に依存する。そのため、例えば、一定量排水するとして、増加する水道料金を算出する、或いは、前記給水手段１０６もしくは前記給水配管１０９もしくはその近傍に、給水される水の温度を測定する図示しない第２の温度検出部を設け、前記第２の温度検出部で検出された温度に基づいて前記貯湯タンク１０３の排水量を算出し、増加する水道料金を算出してもかまわない。また、電気料金やガス料金を算出する際（図２ステップＳ２１）は、燃料電池システム利用者が入力した単位電力、単位ガスあたりの料金、或いはネット等から取得した単位電力、単位ガスあたりの料金を用いて予測を基に算出してもかまわない。なお、本実施の形態１における水道料金、電気料金、ガス料金の算出方法は、実施の形態１に限定されない。
【００３４】
次に、本実施の形態１の燃料電池システムの排水を制御する前記制御手段０１３の処理動作において、前記制御手段０１３が、前記貯湯タンク１０３から排水する量を算出し、排水が完了するまで前記排水手段０１２に排水を要求する場合について、図１、図３を用いて説明する。
【００３５】
図３は、本発明の実施の形態１における燃料電池システムの排水を制御する制御手段０１３の処理動作１−２を示すフロー図である。図３と、前述した処理動作１−１を示す図２とは、前記給水手段１０６から給水される水の温度が一定である場合において、図２のフローでは排水量が一意に決まるが、図３のフローでは燃料電池システムが供給する電力負荷および給湯使用の予測に依存するという点で異なる。
【００３６】
前記貯湯タンク１０３の湯の温度を検出する前記温度検出部１０４において、貯湯タンク１０３の湯の温度が、システム停止させる必要があるシステム停止温度より低い第１の所定温度を超えた場合（図３ステップＳ３０の分岐Ｙ）は、図１に示す前記制御手段０１３は燃料電池システムが供給する電力負荷および給湯使用の予測に基づいて、発電継続に必要な前記貯湯タンク１０３から排水する量を算出し（図３ステップＳ３１）、算出した排水量を用いて、前記貯湯タンク１０３の排水を行うことで発電継続した場合と、排水を行わず停止した場合において、それぞれの場合における水道料金、電気料金、ガス料金の総和を算出する（図３ステップＳ３２）。ここで、燃料電池システムが供給する電力負荷および給湯利用の予測には、例えば、現在の電力負荷および給湯使用が継続するという予測、或いは過去のデータに基づく予測を用いてもよい。また、排水量を算出する際（図３ステップＳ３１）は、前記予測が、電力負荷が３００［Ｗ］を５時間継続し且つ給湯動作が無い場合は、例えば、３００［Ｗ］の発電が１時間継続する際に必要な前記貯湯タンク１０３の湯の排水量を前記熱交換器１０１の排熱回収効率を基にα［ｌ］と定め、その値を基に、排水量を５αと算出してもかまわない。なお、本実施の形態１における排水量の算出方法は、実施の形態１に限定されない。
【００３７】
その後、算出結果に基づき、前記貯湯タンク１０３の排水を行い発電継続したほうが安いと判断した場合（図３ステップＳ３３の分岐Ｙ）は、前記制御手段０１３は前記排水手段０１２に排水を要求する信号を送信し（図３ステップＳ３４）、そして、算出した排水量の排水が完了した場合（図３ステップＳ３５の分岐Ｙ）は、前記制御手段０１３は前記排水手段０１２に送信していた排水を要求する信号を停止する（図３ステップＳ３６）。この方法も、前述した処理動作１−１のフローと同様、発電中の燃料電池システムにおいて、システム利用者の使用する水道料金、電気料金、ガス料金の総和が安くなるように前記貯湯タンク１０３の排水を行い発電継続する、或いは排水せずにシステム停止する制御手段を持った燃料電池システムを得るため、システム利用者の経済的負担を低減することができる。また、貯湯タンクの排水による経済的損失を低減できるため、蓄水装置を備える必要が無く、市場での設置機会の増加に有用である。
【００３８】
なお、本実施の形態１では、前記貯湯タンク１０３内に積層が生まれる場合は、前記温度検出部１０４および前記熱回収配管１０６が前記貯湯タンク１０３の下部にあることが望ましい。これにより、前記熱交換器１０１へ、熱交換に有利な温度の低い湯を使用することができる。また、前記貯湯タンク１０３内に積層が生まれる場合は、前記排水手段０１２が前記貯湯タンク１０３の上部から出湯することが望ましい。これにより、前記貯湯タンク１０３内の温度の高い湯を捨てることができるため、前記貯湯タンク１０３の湯の温度の低下に有利であり、排水量の低減による水道料金の低減に有用である。
【００３９】
また、本実施の形態１では、制御手段０１３が貯湯タンク１０３の排水処理を行うか否か判定し、排水手段０１２に排水を要求したが、例えば、燃料電池ユニット０１０の図示しない制御部において制御手段および排水手段を備え、制御部の制御手段が判定し、排水してもかまわない。
【００４０】
また、本実施の形態１では、前記制御手段０１３が、前記温度検出部１０４の温度が所定温度に下がるまで前記排水手段０１２に排水を要求する場合（以下、処理動作１−１）および、前記制御手段０１３が、前記貯湯タンク１０３から排水する量を算出し、排水が完了するまで前記排水手段０１２に排水を要求する場合（以下、処理動作１−２）において、前記燃料電池ユニット０１０で発電した電力を売却できる場合、前記制御手段０１３は売却できる電気料金を考慮して排水を行ってもかまわない。
【００４１】
以下に、前記燃料電池ユニット０１０で発電した電力を売却できる場合の前記制御手段０１３の処理動作について、図１、図４を用いて説明する。
【００４２】
図４は、本発明の実施の形態１における前記制御手段０１３が、売電を考慮する場合の処理動作を示すフロー図である。ここで、図４のフロー図は、例として、処理動作１−１の場合としているが、処理動作１−２の場合についても同様である。
【００４３】
前記貯湯タンク１０３の湯の温度を検出する前記温度検出部１０４において、貯湯タンク１０３の湯の温度が、システム停止させる必要があるシステム停止温度より低い第１の所定温度を超えた場合（図４ステップＳ４０の分岐Ｙ）は、図１に示す前記制御手段０１３は、燃料電池システムが供給する電力負荷および給湯使用の予測に基づいて、前記温度検出部１０４の温度が、前記第１の所定温度より低くシステム動作の継続可能な第２の所定温度まで下がるよう前記貯湯タンク１０３の排水を行うことで発電継続した場合と、排水を行わずシステム停止した場合において、それぞれの場合における水道料金、電気料金、ガス料金の総和を算出し（図４ステップＳ４１）、さらに前記燃料電池ユニット０１０で発電した電力を売却して得られる金額を算出し（図４ステップＳ４２）、排水を行った際の、使用する水道料金、電気料金、ガス料金の総和から図４ステップＳ４２で算出した金額を差し引いた値が、排水を行わなかった際より安くなる場合（図４ステップＳ４３の
分岐Ｙ）には、排水を行う。この方法は、使用する水道料金、売却した電気料金を考慮した電気料金、およびガス料金の総和が安くなるように前記貯湯タンク１０３の排水を行い発電継続する、或いは排水せずにシステム停止する制御手段を持った燃料電池システムを得るため、前記燃料電池ユニット０１０で発電した電力を売却できる地域におけるシステム利用者の経済的負担の低減に有用である。また、前記燃料電池ユニット０１０で発電した電力を売却して得られる金額は、燃料電池システムの利用者が入力する単位電力あたりの売電価格、或いはネット等から取得する単位電力あたりの売電価格を基に算出してもかまわない。
【００４４】
また、本実施の形態１では、処理動作１−１および、処理動作１−２において、前記燃料電池ユニット０１０で発電した電力を使用することで補助金が得られる場合、前記制御手段０１３は補助金を考慮して排水を行ってもかまわない。
【００４５】
以下に、前記燃料電池ユニット０１０で発電した電力を使用することで補助金が得られる場合の前記制御手段０１３の処理動作について、図１、図５を用いて説明する。
【００４６】
図５は、本発明の実施の形態１における前記制御手段０１３が、補助金を考慮する場合の処理動作を示すフロー図である。ここで、図５のフロー図は、例として、処理動作１−１の場合としているが、処理動作１−２の場合についても同様である。
【００４７】
前記貯湯タンク１０３の湯の温度を検出する前記温度検出部１０４において、貯湯タンク１０３の湯の温度が、システム停止させる必要があるシステム停止温度より低い第１の所定温度を超えた場合（図５ステップＳ５０の分岐Ｙ）は、図１に示す前記制御手段０１３は、燃料電池システムが供給する電力負荷および給湯使用の予測に基づいて、前記温度検出部１０４の温度が、前記第１の所定温度より低くシステム動作の継続可能な第２の所定温度まで下がるよう前記貯湯タンク１０３の排水を行うことで発電継続した場合と、排水を行わずシステム停止した場合において、それぞれの場合における水道料金、電気料金、ガス料金の総和を算出し（図５ステップＳ５１）、さらに前記発電ユニット１０が発電した電力を燃料電池システムの利用者が使用することで得られる補助金を算出し（図５ステップＳ５２）、排水を行った際の、使用する水道料金、電気料金、ガス料金の総和から図５ステップＳ５２で算出した補助金を差し引いた金額が、排水を行わなかった際より安くなる場合（図５ステップＳ５３の分岐Ｙ）には、排水を行う。この方法は、使用する水道料金、発電電力の使用による補助金を考慮した電気料金、およびガス料金の総和が安くなるように前記貯湯タンク１０３の排水を行い発電継続する、或いは排水せずにシステム停止する制御手段を持った燃料電池システムを得るため、前記発電ユニットで発電した電力を使用することで補助金が得られる地域におけるシステム利用者の経済的負担の低減に有用である。また、前記燃料電池ユニット０１０で発電した電力を使用することで得られる補助金は、燃料電池システムの利用者が入力する料金、或いはネット等から取得する料金を基に算出してもかまわない。
【００４８】
また、本実施の形態１では、処理動作１−１および、処理動作１−２において、前記制御手段０１３は前記貯湯タンク１０３に蓄えられる湯の排水に伴う熱量の損失金額を考慮して排水を行ってもかまわない。
【００４９】
以下に、前記制御手段０１３が、前記貯湯タンク１０３に蓄えられる湯の排水に伴う熱量の損失金額を考慮する場合の処理動作について、図１、図６を用いて説明する。
【００５０】
図６は、本発明の実施の形態１における前記制御手段０１３が、熱量の損失金額を考慮する場合の処理動作を示すフロー図である。ここで、図６のフロー図は、例として、処理動作１−１の場合としているが、処理動作１−２の場合についても同様である。
【００５１】
前記貯湯タンク１０３の湯の温度を検出する前記温度検出部１０４において、貯湯タンク１０３の湯の温度が、システム停止させる必要があるシステム停止温度より低い第１の所定温度を超えた場合（図６ステップＳ６０の分岐Ｙ）は、図１に示す前記制御手段０１３は、燃料電池システムが供給する電力負荷および給湯使用の予測に基づいて、前記温度検出部１０４の温度が、前記第１の所定温度より低くシステム動作の継続可能な第２の所定温度まで下がるよう前記貯湯タンク１０３の排水を行うことで発電継続した場合と、排水を行わずシステム停止した場合において、それぞれの場合における水道料金、電気料金、ガス料金の総和を算出し（図６ステップＳ６１）、さらに前記燃料電池ユニット０１０の排ガスとの熱交換により前記貯湯タンク１０３に蓄えられる湯の排水に伴う熱量の損失金額を算出し（図６ステップＳ６２）、排水を行った際の、使用する水道料金、電気料金、ガス料金の総和に図６ステップＳ６２で算出した損失金額を足した金額が、排水を行わなかった際より安くなる場合（図６ステップＳ６３の分岐Ｙ）には、排水を行う。この方法は、使用する水道料金、電気料金、および排水に伴い無駄になる前記貯湯タンク１０３の熱量に使用したガス料金を考慮したガス料金の総和が安くなるように前記貯湯タンク１０３の排水を行い発電継続する、或いは排水せずにシステム停止する制御手段を持った燃料電池システムを得るため、システム利用者の経済的負担の低減および、経済的負担算出時の精度の向上に有用である。また、排水に伴う熱量の損失金額は、例えば、前記燃料電池システムは、さらに、前記排水配管１０７および前記給水配管１０９の近傍に図示しない温度センサを備え、温度センサで検出した排水する湯の温度と給水する水の温度との違いから、前記貯湯タンク１０３の湯の熱量を計算し、熱量として使用したガスの料金を、前記熱交換器１０１の排熱回収効率を基に算出してもかまわない。或いは、前記熱交換器１０１を通るガスの流量を測定できる図示しない流量計を備え、前記燃料電池ユニット０１０で使用したガス流量の総量から、前記貯湯タンク１０３の湯に熱量として使用したガス料金を算出してもかまわない。また、ガス流量の総量から熱量に使用したガス料金を算出する場合は、例えば、前記燃料電池セル１００からの排ガスが前記燃料電池ユニット０１０で使用するガスの７０％であり、前記熱交換器１０１の排熱回収効率が９０％である場合、熱量に使用したガス料金は、前記燃料電池ユニット０１０で使用するガス料金×０．７×０．９としてもかまわない。また、前記貯湯タンク１０３に熱源を備える場合は、熱源の動作による熱量を除いて、使用したガス料金を算出してもかまわない。なお、図３に示した処理動作１−２の場合において、前記貯湯タンク１０３に蓄えられる湯の排水に伴う熱量の損失金額を考慮する場合、水道料金やガス料金に比べて電気料金が著しく高く、前記貯湯タンク１０３に蓄えられる熱量を考慮しても、前記貯湯タンク１０３内の湯を全て排水した方が使用する水道料金、電気料金、ガス料金の総和が安くなる場合は、一度タンクを空にしてもかまわない。
【００５２】
また、本実施の形態１では、処理動作１−１および、処理動作１−２において、前記燃料電池システムは、さらに、前記燃料電池ユニット０１０の発電電力を蓄える図示しない蓄電ユニットを備える場合、前記制御手段０１３は蓄電によって得られる電気料金の削減額を考慮して排水を行ってもかまわない。
【００５３】
以下に、前記燃料電池ユニット０１０で発電した電力を蓄電ユニットに蓄電することで電気料金が削減される場合の前記制御手段０１３の処理動作について、図１、図７を用いて説明する。
【００５４】
図７は、本発明の実施の形態１における前記制御手段０１３が、蓄電による電気料金の削減を考慮する場合の処理動作を示すフロー図である。ここで、図７のフロー図は、例として、処理動作１−１の場合としているが、処理動作１−２の場合についても同様である。
【００５５】
前記貯湯タンク１０３の湯の温度を検出する前記温度検出部１０４において、貯湯タンク１０３の湯の温度が、システム停止させる必要があるシステム停止温度より低い第１の所定温度を超えた場合（図７ステップＳ７０の分岐Ｙ）は、図１に示す前記制御手段０１３は、燃料電池システムが供給する電力負荷および給湯使用の予測に基づいて、前記温度検出部１０４の温度が、前記第１の所定温度より低くシステム動作の継続可能な第２の所定温度まで下がるよう前記貯湯タンク１０３の排水を行うことで発電継続した場合と、排水を行わずシステム停止した場合において、それぞれの場合における水道料金、電気料金、ガス料金の総和を算出し（図７ステップＳ７１）、さらに前記蓄電ユニットに蓄えられる蓄電可能な電力を取得し（図７ステップＳ７２）、取得した蓄電可能電力を基に蓄電によって得られる電気料金の削減額を算出し（図７ステップＳ７３）、前記制御手段０１３は、排水を行った際の、使用する水道料金、電気料金、ガス料金の総和から図７ステップＳ７３で算出した電気料金の削減額をひいた金額が、排水を行わなかった際より安くなる場合（図７ステップＳ７４の分岐Ｙ）には、排水を行う。この方法は、使用する水道料金、前記蓄電ユニットに充電した電力の使用を考慮した電気料金、およびガス料金の総和が安くなるように前記貯湯タンク１０３の排水を行い発電継続する、或いは排水せずにシステム停止する制御手段を持った燃料電池システムを得るため、前記燃料電池システムに前記蓄電ユニットを備えた場合における、システム利用者の経済的負担の低減に有用である。
また、本実施の形態１では、処理動作１−２において、前記制御手段０１３は、前記排水手段０１２が排水する量を算出して、その量を分割して排水するよう制御してもかまわない。
【００５６】
以下に、前記制御手段０１３は、前記排水手段０１２が排水する量を算出して、その量を分割して排水するよう制御する場合の前記制御手段０１３の処理動作について、図１、図８を用いて説明する。
【００５７】
図８は、本発明の実施の形態１における前記制御手段０１３が、前記排水手段０１２が排水する量を算出して、その量を分割して排水するよう制御する場合の処理動作を示すフロー図である。
【００５８】
図１に示す前記制御手段０１３は、前記貯湯タンク１０３の湯の温度を検出する前記温度検出部１０４において、貯湯タンク１０３の湯の温度が、システム停止させる必要があるシステム停止温度より低い第１の所定温度を超えた場合（図８ステップＳ８０）は、前記制御手段０１３が、燃料電池システムが供給する電力負荷および給湯使用の予測に基づいて、前記排水手段０１２が排水する量を算出して（図８ステップＳ８１）、算出した排水量を用いて、前記貯湯タンク１０３の排水を行うことで発電継続した場合と、排水を行わず停止した場合において、それぞれの場合における水道料金、電気料金、ガス料金の総和を算出する（図８ステップＳ８２）。
【００５９】
その後、算出結果に基づき、前記貯湯タンク１０３の排水を行い発電継続したほうが安いと判断した場合（図８ステップＳ８３の分岐Ｙ）は、前記制御手段０１３は前記排水手段０１２に排水を要求する信号を送信し（図８ステップＳ８４）、そして、図８ステップＳ８１で算出した排水量を分割した一定量の排水が完了すると（図８ステップＳ８５の分岐Ｙ）、図８ステップＳ８１で算出した排水量の排水が完了したか確認し（図８ステップＳ８６）、図８ステップＳ８１で算出した排水量の排水が完了していない場合（図８ステップＳ８６の分岐Ｎ）には、排水の継続が必要か確認し（図８ステップＳ８７）、排水の継続が必要な場合（図８ステップＳ８７の分岐Ｙ）には、引き続き前記制御手段０１３は前記排水手段０１２に排水を要求する信号を送信し（図８ステップＳ８４）、排水を継続する。一方、図８ステップＳ８１で算出した排水量の排水が完了したか確認し（図８ステップＳ８６）、図８ステップＳ８１で算出した排水量の排水が完了した場合（図８ステッ
プＳ８６の分岐Ｙ）、および排水の継続が必要か確認し（図８ステップＳ８７）、排水の継続が必要でない場合（図８ステップＳ８７の分岐Ｎ）には、前記制御手段０１３は前記排水手段０１２に排水を要求する信号を停止し（図８ステップＳ８８）、排水処理を終了する。この方法は、前記制御手段０１３が算出した排水する量の予測がすれ、予測以上に前記燃料電池ユニット０１０が電力を供給する電力負荷が低下し、発電継続する必要がなくなった場合や、予測以上の前記貯湯タンク１０３からの給湯使用により排水を継続する必要がなくなった場合に、排水を中断することで予測のずれによる排水の無駄を低減することができるため、システム利用者の経済的負担の低減に有用である。なお、本発明の実施の形態１における図８のフロー図では、貯湯タンク１０３の湯の排水を、一定量毎に分割して排水したが、例えば一定時間毎に分割して排水してもかまわない。
【００６０】
（実施の形態２）
以下に、本発明の実施の形態２における電力供給システムについて、図面を用いて説明する。
【００６１】
本発明の実施の形態２における燃料電池システムのブロック図は、本発明の実施の形態１と同様の図１であるため、説明を省略する。
【００６２】
図９は、本発明の実施の形態２における、燃料電池システムの排水を制御する制御手段０１３の処理動作２−１を示すフロー図である。図９と、実施の形態１で図示した燃料電池システムの排水を制御する制御手段０１３の処理動作を示すフロー図（図２〜図８）とは、燃料電池システムが停止中であるか発電中であるかという点で大きく異なる。
【００６３】
はじめに、本実施の形態２の燃料電池システムの排水を制御する前記制御手段０１３の処理動作において、前記制御手段０１３が前記温度検出部１０４の温度が所定温度に下がるまで排水手段０１２に排水を要求する場合（処理動作２−１）について図１、図９を用いて説明する。
【００６４】
前記貯湯タンク１０３の湯の温度を検出する前記温度検出部１０４において、貯湯タンク１０３の湯の温度が、システム停止させる必要があるシステム停止温度以上であるため再起動できない場合（図９ステップＳ９０の分岐Ｙ）は、図１に示す前記制御手段０１３は、燃料電池システムが供給する電力負荷および給湯使用の予測に基づいて、前記温度検出部１０４の温度が、前記システム停止温度より低く燃料電池システムの再起動可能な所定温度まで下がるよう前記貯湯タンク１０３の排水を行うことで再起動した場合と、排水を行わず停止状態を継続した場合において、それぞれの場合における水道料金、電気料金、ガス料金の総和を算出する（図９ステップＳ９１）。ここで、燃料電池システムが供給する電力負荷および給湯利用の予測には、例えば、現在の電力負荷および給湯使用が継続するという予測、或いは過去のデータに基づく予測を用いてもよい。
【００６５】
その後、算出結果に基づき、前記貯湯タンク１０３の排水を行い再起動したほうが安いと判断した場合（図９ステップＳ９２の分岐Ｙ）には、前記制御手段０１３は、前記燃料電池ユニット０１０に発電の再開を要求する信号を送信し（図９ステップＳ９３）、前記排水手段０１２に排水を要求する信号を送信する（図９ステップＳ９４）。そして、前記温度検出部１０４の温度が、前記システム停止温度より低い燃料電池システムの再起動可能な所定温度まで下がった場合（図９ステップＳ９５の分岐Ｙ）には、前記制御手段０１３は前記排水手段０１２に送信していた排水を要求する信号を停止する（図９ステップＳ９６）。この方法は、停止中の燃料電池システムにおいて、使用する水道料金、電気料金、ガス料金の総和が安くなるように前記貯湯タンク１０３の排水を行い発電を再開する、或いは排水せずに停止状態を継続する制御手段を持った燃料電池システムを得るため、システム利用者の経済的負担の低減に有用である。
【００６６】
次に、本実施の形態２の燃料電池システムの排水を制御する前記制御手段０１３の処理動作において、前記制御手段０１３が前記貯湯タンク１０３から排水する量を算出し、算出した排水量の排水が完了するまで前記排水手段０１２に排水を要求する場合（処理動作２−２）について、図１、図１０を用いて説明する。
【００６７】
図１０は、本発明の実施の形態２における燃料電池システムの排水を制御する制御手段０１３の処理動作２−２を示すフロー図である。図１０と、前述した処理動作２−１を示す図９とは、前記給水手段１０６から給水される水の温度が一定である場合において、図９のフローでは排水量が一意に決まるが、図１０のフローでは燃料電池システムが供給する電力負荷および給湯使用の予測に依存するという点で異なる。
【００６８】
前記貯湯タンク１０３の湯の温度を検出する前記温度検出部１０４において、貯湯タンク１０３の湯の温度が、システム停止させる必要があるシステム停止温度以上であるため再起動できない場合（図１０ステップＳ１００の分岐Ｙ）は、図１に示す前記制御手段０１３は、前記制御手段０１３は燃料電池システムが供給する電力負荷および給湯使用の予測に基づいて、燃料電池システムの再起動に必要な前記貯湯タンク１０３から排水する量を算出し（図１０ステップＳ１０１）、算出した排水量を用いて、前記貯湯タンク１０３の排水を行うことで再起動した場合と、排水を行わず停止状態を継続した場合において、それぞれの場合における水道料金、電気料金、ガス料金の総和を算出する（図１０ステップＳ１０２）。
【００６９】
その後、算出結果に基づき、前記貯湯タンク１０３の排水を行い再起動したほうが安いと判断した場合（図１０ステップＳ１０３の分岐Ｙ）には、前記制御手段０１３は、前記燃料電池ユニット０１０に起動を要求する信号を送信し（図１０ステップＳ１０４）、前記排水手段０１２に排水を要求する信号を送信する（図１０ステップＳ１０５）。そして、算出した排水量の排水が完了した場合（図１０ステップＳ１０６の分岐Ｙ）には、前記制御手段０１３は前記排水手段０１２に送信していた排水を要求する信号を停止する（図１０ステップＳ１０７）。この方法も、前述した処理動作２−１のフローと同様、停止中の燃料電池システムにおいて、使用する水道料金、電気料金、ガス料金の総和が安くなるように前記貯湯タンク１０３の排水を行い発電を再開する、或いは排水せずに停止状態を継続する制御手段を持った燃料電池システムを得るため、システム利用者の経済的負担の低減に有用である。
【００７０】
また、本実施の形態２の前記処理動作２−２において、前記制御手段０１３は、実施の形態１と同様に、前記制御手段０１３が、前記排水手段０１２が排水する量を算出して、その量を分割して排水するよう制御してもかまわない。
【００７１】
以下に、前記制御手段０１３は、前記排水手段０１２が排水する量を算出して、その量を分割して排水するよう制御する場合の前記制御手段０１３の処理動作について、図１、図１１を用いて説明する。
【００７２】
図１１は、本発明の実施の形態２における前記制御手段０１３が、前記排水手段０１２が排水する量を算出して、その量を分割して排水するよう制御する場合の処理動作を示すフロー図である。
【００７３】
前記制御手段０１３は、前記貯湯タンク１０３の湯の温度を検出する前記温度検出部１０４において、貯湯タンク１０３の湯の温度が、システム停止させる必要があるシステム停止温度以上であるため再起動できない場合（図１１ステップＳ１１０の分岐Ｙ）は、図１に示す前記制御手段０１３は、燃料電池システムが供給する電力負荷および給湯使用の
予測に基づいて、前記排水手段０１２が排水する量を算出して（図１１ステップＳ１１１）、算出した排水量を用いて、前記貯湯タンク１０３の排水を行うことで再起動した場合と、排水を行わず停止状態を継続した場合において、それぞれの場合における水道料金、電気料金、ガス料金の総和を算出する（図１１ステップＳ１１２）。
【００７４】
その後、算出結果に基づき、前記貯湯タンク１０３の排水を行い再起動したほうが安いと判断した場合（図１１ステップＳ１１３の分岐Ｙ）は、前記制御手段０１３は、前記燃料電池ユニット０１０に発電の再開を要求する信号を送信し（図１１ステップＳ１１４）、前記排水手段０１２に排水を要求する信号を送信する（図１１ステップＳ１１５）。そして、図１１ステップＳ１１１で算出した排水量を分割した一定量の排水が完了すると（図１１ステップＳ１１６の分岐Ｙ）、図１１ステップＳ１１１で算出した排水量の排水が完了したか確認し（図１１ステップＳ１１７）、図１１ステップＳ１１１で算出した排水量の排水が完了していない場合（図１１ステップＳ１１７の分岐Ｎ）には、排水の継続が必要か確認し（図１１ステップＳ１１８）、排水の継続が必要な場合（図１１ステップＳ１１８の分岐Ｙ）には、引き続き前記制御手段０１３は前記排水手段０１２に排水を要求する信号を送信し（図１１ステップＳ１１５）、排水を継続する。一方、図１１ステップＳ１１１で算出した排水量の排水が完了したか確認し（図１１ステップＳ１１７）、図１１ステップＳ１１１で算出した排水量の排水が完了した場合（図１１ステップＳ１１７の分岐Ｙ）、および排水の継続が必要か確認し（図１１ステップＳ１１８）、排水の継続が必要でない場合（図１１ステップＳ１１８の分岐Ｎ）には、前記制御手段０１３は前記排水手段０１２に排水を要求する信号を停止し（図１１ステップＳ１１９）、排水処理を終了する。この方法は、前記制御手段０１３が算出した排水する量の予測がすれ、予測以上に前記燃料電池ユニット０１０が電力を供給する電力負荷が低下し、発電を再開する必要がなくなった場合や、予測以上の前記貯湯タンク１０３からの給湯使用により排水を継続する必要がなくなった場合に、排水を中断することで予測のずれによる排水の無駄を低減することができるため、システム利用者の経済的負担の低減に有用である。なお、本発明の実施の形態２における図１１のフロー図では、貯湯タンク１０３の湯の排水を、一定量毎に分割して排水したが、例えば一定時間毎に分割して排水してもかまわない。
【００７５】
また、本実施の形態２の処理動作２−１および２−２において、実施の形態１と同様に、前記制御手段０１３は、燃料電池システムが供給する電力負荷および給湯使用の予測に基づいて、前記燃料電池ユニット０１０で発電した電力を売却して得られる金額、或いは前記発電ユニット１０が発電した電力を燃料電池システムの利用者が使用することで得られる補助金、或いは前記貯湯タンク１０３に蓄えられた熱量の排水に伴う損失金額、或いは蓄電によって得られる電気料金の削減額を算出し、前述した算出結果と使用する水道料金、電気料金、ガス料金の総和を基に排水を行い再起動するか制御してもよい。
【産業上の利用可能性】
【００７６】
以上のように、本発明にかかる燃料電池システムは、燃料電池システムを発電するために貯湯タンクの湯を排水する場合、前記貯湯タンクから湯を排水する際の、使用する水道料金、電気料金、ガス料金の総和が、前記貯湯タンクから湯を排水せずに燃料電池システムを停止させる際の、使用する水道料金、電気料金、ガス料金の総和より安くなる場合にのみ、排水を行うことで、燃料電池システムが貯湯タンクの湯を排水する場合においても、経済性への影響を考慮することができるため、燃料電池システムの様な発電装置と貯湯タンクを備える電力供給システムの用途にも適用することができる。
【符号の説明】
【００７７】
０１０  燃料電池ユニット
０１１  貯湯ユニット
０１２  排水手段
０１３  制御手段
１００  燃料電池セル
１０１  熱交換器
１０３  貯湯タンク
１０４  温度検出部
【図１】
2015122139.tif 000003
【図２】
2015122139.tif 000004
【図３】
2015122139.tif 000005
【図４】
2015122139.tif 000006
【図５】
2015122139.tif 000007
【図６】
2015122139.tif 000008
【図７】
2015122139.tif 000009
【図８】
2015122139.tif 000010
【図９】
2015122139.tif 000011
【図１０】
2015122139.tif 000012
【図１１】
2015122139.tif 000013
【図１２】
2015122139.tif 000014
【図１３】
2015122139.tif 000015